【手続補正書】
【提出日】平成18年9月19日(2006.9.19)
【手続補正１】
【補正対象書類名】明細書
【補正対象項目名】特許請求の範囲
【補正方法】変更
【補正の内容】
【特許請求の範囲】
【請求項１】  底壁（２０）、頂壁（１２，２５）、側壁（２２，２３）及び液体用入口開口（２）を有し、液無し部分が最小容積を有する際に最大充填状態を構成するように構成された測定容器（１）と、
第１の音響信号を上記測定容器（１）の液無し部分に発するための手段（Ｈ）と、
上記第１の音響信号に応答して上記測定容器（１）内に発生した第２の音響信号を記録するための手段（Ｍ）と、
上記第２の音響信号に基づいて、上記測定容器（１）内の現在の液量を決定するための手段（４５）と、を有する、患者からの液体の排出量を測定するための装置であって、
上記測定容器（１）は測定管（５）を有し、この測定管（５）は、第１開口（１４）と、第２開口（１５）と、第３開口（１６）とを有し、
上記第１開口（１４）は、上記測定管（５）内に液面（７）を構成するために、上記測定管（５）への液体の流入を許すように配置され、
上記第２開口（１５）は、いかなる時でも上記測定容器（１）の液無し部分と連通するように配置され、
上記第３開口（１６）は、上記第２音響信号を記録するための手段（Ｍ）と連通するように配置され、
上記第２開口（１５）及び上記第３開口（１６）は、上記測定管（５）内の液面（７）と共に、上記第２の音響信号を発生させる液無し共鳴チャンバーを構成することを特徴とする装置。
【請求項２】  更に、作動可能な連絡手段（９，１０）を経て上記測定容器（１）と流れ連通している収集容器（１１）を有し、この収集容器（１１）は上記測定容器（１）よりも大きい容積を有する、請求項１に記載の装置。
【請求項３】  上記連絡手段は、上記最大充填状態で上記測定容器（１）の排液を行うように構成される自動サイフォン機構を有する、請求項２に記載の装置。
【請求項４】  上記測定管（５）は、正しい取付け位置で実質的に鉛直方向に延び且つ上記測定容器（１）の底壁（２０）から上方に延びるように測定容器（１）内に配置されている円筒形第１部分と、実質的に円筒形の横分岐部と、を有し、
上記横分岐部の一端は上記円筒形第１部分で終り、その他端は上記第２開口（１５）を構成する、請求項１乃至３の何れか１項に記載の装置。
【請求項５】  第１の音響信号を測定容器（１）の液無し部分に付与するための上記手段（Ｈ）、第１の音響信号に応答して測定容器（１）内に発生した第２の音響信号を記録するための上記手段（Ｍ）、及び第２の音響信号に基づいて測定容器（１）内の現在の液量を決定するための上記手段（４５）は、測定ハウジング（４）内に取付けられ、
上記測定容器（１）の頂壁は、上記音響信号を伝達するためのダイヤフラム（１２）を有し、
上記測定ハウジング（４）は、上記音響信号を伝達するために、上記ダイヤフラム（１２）と係合して固着されるように構成される、請求項１乃至４の何れか１項に記載の装置。
【請求項６】  上記測定容器（１）は、第１開口（３２／３４）及び第２開口（３６）を有するガス充填温度補正管（３０）を更に有し、このガス充填温度補正管（３０）は、上記測定容器（１）内の液体と熱的な連結をなすように配置され、
上記ガス充填温度補正管（３０）内に発生した第３の音響信号を記録する手段（Ｍ）が配置され、
上記第１開口（３２／３４）は、上記ガス充填温度補正管（３０）が共鳴に対して励起されるように、音響信号を発するための上記手段（Ｈ）と音響連結をなして配置され、上記第２開口（３６）は、上記手段（Ｍ２）と連通するように配列される、
請求項１乃至５の何れか１項に記載の装置。
【請求項７】  上記第１開口（３２）は、いかなる時にも上記測定容器の液無し部分と連通するように配置され、上記ガス充填温度補正管（３０）は、正しい取付け姿勢で実質的に鉛直に延び且つ上記測定容器の底壁（２０）から上方に延びるように上記測定容器内に配置された円筒形第１部分と、実質的に円筒形の横分岐部と、を有し、この横分岐部の一端は、上記円筒形第１部分で終り、上記横分岐部の他端は、上記開口（３２）を構成する、請求項１乃至６の何れか１項に記載の装置。
【請求項８】  底壁（２０）、頂壁（１２，２５）、側壁（２２，２３）及び液体用入口開口（２）を有し、液無し部分が最小容積を有する際に最大充填状態を構成するように構成された測定容器（１）と、
第１の音響信号を上記測定容器（１）の液無し部分に発するための手段（Ｈ）と、
上記第１の音響信号に応答して上記測定容器（１）内に発生した第２の音響信号を記録するための手段（Ｍ）と、
上記第２の音響信号に基づいて、上記測定容器（１）内の現在の液量を決定するためのデータ処理電気装置（４５）と、
作動可能な連絡手段（９，１０）を経て上記測定容器（１）と流れ連通しており、上記測定容器（１）よりも大きい容積を有する収集容器（１１）と、を有し、上記連絡手段は、最大充填状態の上記測定容器（１）の排液を可能にする、装置を使用して、液体の排出量を測定する方法であって、
排液直前の上記測定容器内の液量の変化Ａtopについての第１データを上記データ処理電気装置によって決定する段階と、
排液直後の上記測定容器内の液量の変化Ｂbottomについての第２データを上記データ処理電気装置によって決定する段階と、
第１データの組と第２データの組とを使用して、上記測定容器への液体の排出量の見積りＶを上記データ処理電気装置によって決定する段階と、を有する方法。
【請求項９】  上記見積りＶは、Ｔを排液の持続時間として、Ｖ＝（Ｔ＊Ａtop＋Ｔ＊Ｂbottom）／２のように決定する、請求項８に記載の方法。
【請求項１０】  上記測定容器（１）は測定管（５）を有し、この測定管（５）は、
第１開口（１４）と、第２開口（１５）と、第３開口（１６）とを有し、
上記第１開口（１４）は、上記測定管（５）内に液面（７）を構成するために、上記測定管への液体の流入を許すように配置され、
上記第２開口（１５）は、いかなる時にも上記測定管の液無し部分と連通するように配置され、
上記第３開口は、第２音響信号を記録するための上記手段（Ｍ）と連通するように配置され、
上記第２開口（１５）及び上記第３開口（１６）は、測定管内の液面（７）と共に、上記第２音響信号を発生させる液無し共鳴チャンバーを構成する、請求項８又は９に記載の方法。
【請求項１１】  上記連絡手段は、自動開放サイフォン機構（９，１０）を有する、請求項８乃至１０の何れか１項に記載の方法。
【請求項１２】  患者からの液体の排出量を測定するための測定容器であって、
底壁（２０）と、音響信号を伝達する薄肉のダイヤフラムを含む頂壁（１２，２５）と、側壁（２２，２３）と、液体用入口開口（２）と、を有し、
液無し部分が最小容積を有する際に最大充填状態を構成し、
更に、上記側壁の間の中心で延びるように配置された測定管と、を有し、この測定管は、第１開口（１４）と、第２開口（１５）と、第３開口（１６）とを有し、
上記第１開口（１４）は、上記測定管（５）内に液面（７）を構成するために、上記測定管（５）への液体の流入を許すように配置され、
上記第２開口（１５）は、いかなる時でも上記測定容器（１）の液無し部分と連通するように配置され、
上記第３開口（１６）は、上記ダイヤフラム（１２）に面する、測定容器。
【請求項１３】  上記測定管（５）は、実質的に鉛直に且つ上記測定容器の底壁（２０）から上記側壁（２２，２３）の中心で延び、上記開口（１４，１６）で終る円筒形第１部分と、実質的に円筒形の横分岐部（６）と、を有し、この横分岐部の一端は、上記円筒形第１部分で終り、上記横分岐部の他端は、上記開口（１５）で終る、請求項１１に記載の測定容器。